(57)【特許請求の範囲】
【請求項１】
入力端子を有する接続部とディスプレイとを備える車載用表示システムを信号の伝送対象とする車載用中継装置であって、
前記車載用表示システムは、特定の種類の映像信号出力装置が前記接続部に電気的に接続可能とされ、且つ前記接続部を介して機器信号を受信したことを条件として前記接続部に電気的に接続された装置からの信号に応じた動作を許可し、前記映像信号出力装置から前記接続部を介して前記機器信号が入力され且つ第１の映像信号が入力される場合に前記ディスプレイに前記第１の映像信号に応じた映像を表示するシステムであり、
前記車載用中継装置は、
当該車載用中継装置が前記接続部に電気的に接続された場合に、前記車載用表示システムに対し前記接続部を介して前記機器信号を模擬した模擬信号を送信し、当該車載用中継装置からの動作を許容させる制御部と、
当該車載用中継装置の外部に設けられる装置であり且つ前記車載用表示システムとは異なる装置である外部装置から第２の映像信号が入力される入力部と、
当該車載用中継装置が前記接続部に電気的に接続された場合に、前記入力部に入力された前記第２の映像信号に応じた映像信号を、前記車載用表示システムに対し前記接続部を介して伝送する伝送部と、
を有する車載用中継装置。
【請求項２】
前記映像信号出力装置は、前記接続部に当該映像信号出力装置が電気的に接続された状態で映像情報が記録された記録媒体が当該映像信号出力装置の内部に保持された場合に、前記記録媒体が当該映像信号出力装置に保持されていることを示す保持信号を前記車載用表示システムに対して前記接続部を介して送信し、
前記車載用表示システムは、前記接続部に外部機器が電気的に接続されている場合に、前記外部機器を動作対象とする選択操作が可能な状態である許可状態と、前記選択操作が不能な状態である不許可状態とに切り替え、前記外部機器から前記保持信号を受信した場合に前記許可状態に切り替え、
前記車載用中継装置は、前記接続部に当該車載用中継装置が電気的に接続された場合に前記保持信号を模擬した信号を前記車載用表示システムに対して前記接続部を介して送信する
請求項１に記載の車載用中継装置。
【請求項３】
前記映像信号出力装置は、前記接続部に当該映像信号出力装置が電気的に接続された状態で映像情報が記録された記録媒体を再生し且つ再生の進行中である場合に、前記記録媒体の再生が進行中であることを示す進行中信号を前記車載用表示システムに対して前記接続部を介して送信し、
前記車載用表示システムは、前記接続部に外部機器が電気的に接続されている場合において前記進行中信号を受信していない場合に前記外部機器から入力される音声信号を無効化し、前記進行中信号を受信した場合に前記外部機器から入力される音声信号を有効化し、
前記車載用中継装置は、前記接続部に当該車載用中継装置が電気的に接続されたことを条件として前記進行中信号を模擬した信号を前記車載用表示システムに対して前記接続部を介して送信し且つ前記第２の映像信号に応じた映像信号を前記伝送部によって前記接続部を介して伝送する
請求項１又は請求項２に記載の車載用中継装置。
【請求項４】
前記入力部は、電圧信号が伝送される信号線に電気的に接続される信号端子と、基準電位線が電気的に接続される基準端子と、を備え、前記外部装置からの音声信号が前記基準端子の電位を基準とする前記信号端子の電圧の信号として入力され、
更に、前記信号端子を介して入力された電圧信号を減衰させた第１電圧信号を第１導電路を介して出力する第１減衰回路と、
前記信号端子を介して入力された電圧信号を反転及び減衰させた第２電圧信号を第２導電路を介して出力する第２減衰回路と、
を有し、
前記車載用中継装置が前記接続部に電気的に接続された場合に、前記第１導電路が前記接続部における第１の音声入力端子に電気的に接続され、前記第２導電路が前記接続部における第２の音声入力端子に電気的に接続される
請求項１から請求項３のいずれか一項に記載の車載用中継装置。
【請求項５】
前記映像信号出力装置は、
前記接続部に当該映像信号出力装置が電気的に接続された状態で映像情報が記録された記録媒体を再生している場合において前記車載用表示システムから一時停止を指示する一時停止指示信号を受けた場合に、前記記録媒体を一時停止し且つ第１応答信号を前記車載用表示システムに対して前記接続部を介して送信し、
前記記録媒体を一時停止している場合において前記車載用表示システムから一時停止の解除を指示する解除指示信号を受けた場合に、前記一時停止を解除して再生の進行を再開し且つ第２応答信号を前記接続部を介して送信し、
前記車載用表示システムは、
操作部を有し、
前記接続部に外部機器が電気的に接続されている場合において前記操作部に対して一時停止操作がなされた場合に、前記外部機器に前記一時停止指示信号を送信し、
前記一時停止指示信号の送信後、前記外部機器から前記第１応答信号又は前記第１応答信号を模擬した信号を受けることを条件として、前記ディスプレイに解除操作用の画像を表示させた状態を継続し、
前記ディスプレイに前記解除操作用の画像が表示されている場合において前記操作部に対して一時停止を解除する解除操作がなされた場合に、前記外部機器に前記解除指示信号を送信し、
前記解除指示信号の送信後、前記外部機器から前記第２応答信号又は前記第２応答信号を模擬した信号を受けることを条件として、前記解除操作用の画像が消去された状態を継続し、
前記車載用中継装置は、
前記接続部に当該車載用中継装置が電気的に接続された場合において前記車載用表示システムから前記一時停止指示信号を受けた場合には、前記第１応答信号を模擬した信号を前記車載用表示システムに対して前記接続部を介して送信し、
前記車載用表示システムから前記解除指示信号を受けた場合には、前記第２応答信号を模擬した信号を前記車載用表示システムに対して前記接続部を介して送信する
請求項１から請求項４のいずれか一項に記載の車載用中継装置。
【発明の詳細な説明】
【技術分野】
【０００１】
本開示は、車載用中継装置に関する。
【背景技術】
【０００２】
特許文献１で開示される車載情報システムは、映像・音声信号入力部や表示部などが車載装置に設けられ、車載装置の映像・音声信号入力部にはＨＤＭＩ（登録商標）等の通信規格に基づく汎用端子が設けられている。そして、車載装置の汎用端子と携帯端末とが映像・音声ケーブルを介して接続される。このシステムは、携帯端末の表示部に表示される画面と同一の画面が車載装置に表示されるとともに携帯端末の音声出力部から出力される音声と同一の音声が車載装置の音声出力部から出力されるようにビデオミラーリングを行う。
【先行技術文献】
【特許文献】
【０００３】
【特許文献１】特開２０１５−１６２７９５号公報
【発明の概要】
【発明が解決しようとする課題】
【０００４】
特許文献１で開示される車載情報システムは、ＨＤＭＩ（登録商標）端子のような汎用端子が車載装置に設けられることが前提のシステムである。即ち、このシステムの接続方法は、汎用端子を有していない車載装置には適用できず、汎用端子を有していたとしても、汎用端子を空けておいたり、別の用途に使用したりする場合には適用できない。
【０００５】
本開示は、上述した課題の少なくとも一つを解決するために、特定の種類の映像信号出力装置が接続される接続部を利用して、外部装置から出力される映像信号に応じた映像を車載用表示システムのディスプレイに表示し得る技術を提供する。
【課題を解決するための手段】
【０００６】
本開示の一つである車載用中継装置は、
入力端子を有する接続部とディスプレイとを備える車載用表示システムを信号の伝送対象とする車載用中継装置であって、
前記車載用表示システムは、特定の種類の映像信号出力装置が前記接続部に電気的に接続可能とされ、且つ前記接続部を介して機器信号を受信したことを条件として前記接続部に電気的に接続された装置からの信号に応じた動作を許可し、前記映像信号出力装置から前記接続部を介して前記機器信号が入力され且つ第１の映像信号が入力される場合に前記ディスプレイに前記第１の映像信号に応じた映像を表示するシステムであり、
前記車載用中継装置は、
当該車載用中継装置が前記接続部に電気的に接続された場合に、前記車載用表示システムに対し前記接続部を介して前記機器信号を模擬した模擬信号を送信し、当該車載用中継装置からの動作を許容させる制御部と、
当該車載用中継装置の外部に設けられる装置であり且つ前記車載用表示システムとは異なる装置である外部装置から第２の映像信号が入力される入力部と、
当該車載用中継装置が前記接続部に電気的に接続された場合に、前記入力部に入力された前記第２の映像信号に応じた映像信号を、前記車載用表示システムに対し前記接続部を介して伝送する伝送部と、
を有する。
【発明の効果】
【０００７】
本開示の一つである車載用中継装置は、特定の種類の映像信号出力装置が接続される接続部を利用して、外部装置から出力される映像信号に応じた映像を車載用表示システムのディスプレイに表示し得る。
【図面の簡単な説明】
【０００８】
【図１】図１は、第１実施形態の車載用中継装置を備えた車載システムを例示する説明図である。
【図２】図２は、第１実施形態の車載用中継装置、及びその車載用中継装置の周辺構成を概略的に例示するブロック図である。
【図３】図３は、第１実施形態の車載用中継装置における音声変換回路の具体例等を示すブロック図である。
【図４】図４は、第１実施形態の車載用中継装置における音声変換回路での変換動作を説明する説明図であり、（Ａ）は音声変換回路に入力される入力信号を概念的に示す説明図であり、（Ｂ）は音声変換回路から出力される１／２減衰信号及び１／２減衰反転信号を概念的に示す説明図であり、（Ｃ）は中継装置からの出力信号（表示システムに入力される入力信号）を概念的に示す説明図である。
【図５】図５は、第１実施形態の車載用中継装置が接続される表示システムにおける制御の流れを例示するフローチャートである。
【図６】図６は、第１実施形態の車載用中継装置が接続される表示システムにおけるディスプレイの表示状態を例示する説明図であり、表示システムが機器信号及び保持信号を取得している場合の表示例を示す説明図である。
【図７】図７は、第１実施形態の車載用中継装置が接続される表示システムにおけるディスプレイの表示状態を例示する説明図であり、表示システムが機器信号を取得していない場合の表示例を示す説明図である。
【図８】図８は、第１実施形態の車載用中継装置が接続される表示システムにおけるディスプレイの表示状態を例示する説明図であり、表示システムが保持信号を取得していない場合の表示例を示す説明図である。
【図９】図９は、第１実施形態の車載用中継装置が接続される表示システムにおけるディスプレイの表示状態を例示する説明図であり、再生進行中の通常状態の表示例を示す説明図である。
【図１０】図１０は、第１実施形態の車載用中継装置が接続される表示システムにおけるディスプレイの表示状態を例示する説明図であり、再生進行中に一時停止操作用の画面を表示させた状態の表示例を示す説明図である。
【図１１】図１１は、第１実施形態の車載用中継装置が接続される表示システムにおけるディスプレイの表示状態を例示する説明図であり、一時停止中に解除操作用の画面を表示させた状態の表示例を示す説明図である。
【図１２】図１２は、第１実施形態の車載用中継装置において行われる制御の流れを例示するフローチャートである。
【図１３】図１３は、図１２の制御において行われるステータス送信処理の流れを例示するフローチャートである。
【図１４】図１４は、図１２の制御において行われる受信データ処理の流れ（その１）を例示するフローチャートである。
【図１５】図１５は、図１２の制御において行われる受信データ処理の流れ（その２）を例示するフローチャートである。
【図１６】図１６は、図１の一部に示される表示システムに映像信号出力装置が接続された場合のシステム構成を説明する説明図である。
【図１７】図１７は、図１の一部に示される表示システムにおいて接続部への信号入力を第１実施形態とは異なる方法で実現する例を説明する説明図である。
【発明を実施するための形態】
【０００９】
以下では、本開示の実施形態が列記されて例示される。なお、以下で例示される〔１〕〜〔５〕の特徴は、矛盾しない範囲でどのように組み合わされてもよい。
【００１０】
〔１〕入力端子を有する接続部とディスプレイとを備える車載用表示システムを信号の伝送対象とする車載用中継装置であって、前記車載用表示システムは、特定の種類の映像信号出力装置が前記接続部に電気的に接続可能とされ、且つ前記接続部を介して機器信号を受信したことを条件として前記接続部に電気的に接続された装置からの信号に応じた動作を許可し、前記映像信号出力装置から前記接続部を介して前記機器信号が入力され且つ第１の映像信号が入力される場合に前記ディスプレイに前記第１の映像信号に応じた映像を表示するシステムであり、前記車載用中継装置は、当該車載用中継装置が前記接続部に電気的に接続された場合に、前記車載用表示システムに対し前記接続部を介して前記機器信号を模擬した模擬信号を送信し、当該車載用中継装置からの動作を許容させる制御部と、当該車載用中継装置の外部に設けられる装置であり且つ前記車載用表示システムとは異なる装置である外部装置から第２の映像信号が入力される入力部と、当該車載用中継装置が前記接続部に電気的に接続された場合に、前記入力部に入力された前記第２の映像信号に応じた映像信号を、前記車載用表示システムに対し前記接続部を介して伝送する伝送部と、を有する車載用中継装置。
【００１１】
上記〔１〕の車載用中継装置は、車載用表示システムの上記接続部（特定の種類の映像信号出力装置が接続されることが想定された部分）に電気的に接続された場合に、車載用表示システムに対し接続部を介して機器信号を模擬した模擬信号を送信する。機器信号は、車載用表示システムが接続部に接続された装置からの動作を許可する条件となる信号である。よって、上記の車載用中継装置は、当該車載用中継装置からの動作を車載用表示システムに許容させ得る。そして、上記の車載用中継装置は、このように動作が許容された状態で、外部装置から入力部に入力された第２の映像信号に応じた映像信号を、接続部を介して車載用表示システムに伝送することができる。よって、上記の車載用中継装置は、車載用表示システムの接続部（特定の種類の映像信号出力装置が接続されることが想定された部分）を利用して、外部装置から出力される映像信号に応じた映像を車載用表示システムのディスプレイに表示させることができる。
【００１２】
本明細書において、「電気的に接続された状態」とは、具体的には、「信号の伝達が可能な状態」である。例えば、車載用中継装置と接続部とが電気的に接続された状態とは、具体的には、車載用中継装置と接続部との間で信号の伝達が可能な状態である。同様に、特定の種類の映像信号出力装置と接続部とが電気的に接続可能とされた状態とは、具体的には、その映像信号出力装置と接続部との間で信号の伝達が可能な状態である。
【００１３】
〔２〕前記映像信号出力装置は、前記接続部に当該映像信号出力装置が電気的に接続された状態で映像情報が記録された記録媒体が当該映像信号出力装置の内部に保持された場合に、前記記録媒体が当該映像信号出力装置に保持されていることを示す保持信号を前記車載用表示システムに対して前記接続部を介して送信し、前記車載用表示システムは、前記接続部に外部機器が電気的に接続されている場合に、前記外部機器を動作対象とする選択操作が可能な状態である許可状態と、前記選択操作が不能な状態である不許可状態とに切り替え、前記外部機器から前記保持信号を受信した場合に前記許可状態に切り替え、前記車載用中継装置は、前記接続部に当該車載用中継装置が電気的に接続された場合に前記保持信号を模擬した信号を前記車載用表示システムに対して前記接続部を介して送信する〔１〕に記載の車載用中継装置。
【００１４】
上記〔２〕の車載用中継装置は、保持信号を模擬した信号を車載用表示システムに送信することができるため、映像信号出力装置が車載用表示システムに接続された状態で映像信号出力装置内に記録媒体が保持されている場合と同様の動作を車載用表示システムに行わせることができる。具体的には、上記の車載用中継装置は、保持信号を模擬した信号を車載用表示システムに送信することで、車載用表示システムを許可状態（接続部に接続された外部機器を動作対象とする選択操作が可能な状態）にすることができ、映像信号出力装置とは異なる種類の装置であっても、接続部に接続された装置（即ち、当該車載用中継装置）を動作対象にする選択操作を可能とし得る。より具体的には、上記の車載用中継装置は、自身が接続部に接続されている場合、映像情報が記録された記録媒体を保持していなくても自身を動作対象とする選択操作が可能な状態にすることができる。
【００１５】
〔３〕前記映像信号出力装置は、前記接続部に当該映像信号出力装置が電気的に接続された状態で映像情報が記録された記録媒体を再生し且つ再生の進行中である場合に、前記記録媒体の再生が進行中であることを示す進行中信号を前記車載用表示システムに対して前記接続部を介して送信し、前記車載用表示システムは、前記接続部に外部機器が電気的に接続されている場合において前記進行中信号を受信していない場合に前記外部機器から入力される音声信号を無効化し、前記進行中信号を受信した場合に前記外部機器から入力される音声信号を有効化し、前記車載用中継装置は、前記接続部に当該車載用中継装置が電気的に接続されたことを条件として前記進行中信号を模擬した信号を前記車載用表示システムに対して前記接続部を介して送信し且つ前記第２の映像信号に応じた映像信号を前記伝送部によって前記接続部を介して伝送する〔１〕又は〔２〕に記載の車載用中継装置。
【００１６】
上記〔３〕の車載用中継装置は、進行中信号を模擬した信号を車載用表示システムに送信することができるため、映像信号出力装置が車載用表示システムに接続された状態で再生の進行中である場合と同様の動作を車載用表示システムに行わせることができる。具体的には、上記の車載用中継装置は、進行中信号を模擬した信号を車載用表示システムに送信することで、映像情報が記録された記録媒体を実際に再生しなくても、映像信号出力装置が再生進行中のときの表示と同様の表示を行わせることができる。
【００１７】
〔４〕前記入力部は、電圧信号が伝送される信号線に電気的に接続される信号端子と、基準電位線が電気的に接続される基準端子と、を備え、前記外部装置からの音声信号が前記基準端子の電位を基準とする前記信号端子の電圧の信号として入力され、更に、前記信号端子を介して入力された電圧信号を減衰させた第１電圧信号を第１導電路を介して出力する第１減衰回路と、前記信号端子を介して入力された電圧信号を反転及び減衰させた第２電圧信号を第２導電路を介して出力する第２減衰回路と、を有し、前記車載用中継装置が前記接続部に電気的に接続された場合に、前記第１導電路が前記接続部における第１の音声入力端子に電気的に接続され、前記第２導電路が前記接続部における第２の音声入力端子に電気的に接続される〔１〕から〔３〕のいずれか一項に記載の車載用中継装置。
【００１８】
上記〔４〕の車載用中継装置は、外部装置からの映像信号に応じた映像信号を特定の接続部（特定種類の映像信号出力装置が接続されることが想定された接続部）を介して車載用表示システムに入力することを可能とし、更に、上記接続部を介して音声信号を入力する場合には、外部装置からアンバランス方式で音声信号が入力されたとしてもバランス方式の音声信号に変換して上記の車載用表示システムに入力することができる。しかも、上記の車載用中継装置は、アンバランス方式で入力された音声信号をバランス方式の音声信号に変換して入力する際に、反転関係にある一方の第１電圧信号と他方の第２電圧信号をいずれも減衰信号として生成することができるため、第１電圧信号及び第２電圧信号の出力が大きすぎることに起因する弊害（例えば、音割れ等）を生じにくくすることができる。
【００１９】
〔５〕前記映像信号出力装置は、前記接続部に当該映像信号出力装置が電気的に接続された状態で映像情報が記録された記録媒体を再生している場合において前記車載用表示システムから一時停止を指示する一時停止指示信号を受けた場合に、前記記録媒体を一時停止し且つ第１応答信号を前記車載用表示システムに対して前記接続部を介して送信し、前記記録媒体を一時停止している場合において前記車載用表示システムから一時停止の解除を指示する解除指示信号を受けた場合に、前記一時停止を解除して再生の進行を再開し且つ第２応答信号を前記接続部を介して送信し、前記車載用表示システムは、操作部を有し、前記接続部に外部機器が電気的に接続されている場合において前記操作部に対して一時停止操作がなされた場合に、前記外部機器に前記一時停止指示信号を送信し、前記一時停止指示信号の送信後、前記外部機器から前記第１応答信号又は前記第１応答信号を模擬した信号を受けることを条件として、前記ディスプレイに解除操作用の画像を表示させた状態を継続し、前記ディスプレイに前記解除操作用の画像が表示されている場合において前記操作部に対して一時停止を解除する解除操作がなされた場合に、前記外部機器に前記解除指示信号を送信し、前記解除指示信号の送信後、前記外部機器から前記第２応答信号又は前記第２応答信号を模擬した信号を受けることを条件として、前記解除操作用の画像が消去された状態を継続し、前記車載用中継装置は、前記接続部に当該車載用中継装置が電気的に接続された場合において前記車載用表示システムから前記一時停止指示信号を受けた場合には、前記第１応答信号を模擬した信号を前記車載用表示システムに対して前記接続部を介して送信し、前記車載用表示システムから前記解除指示信号を受けた場合には、前記第２応答信号を模擬した信号を前記車載用表示システムに対して前記接続部を介して送信する〔１〕から〔４〕のいずれか一つに記載の車載用中継装置。
【００２０】
上記〔５〕の車載用中継装置は、第１応答信号を模擬した信号を車載用表示システムに送信することができるため、映像信号出力装置が車載用表示システムに接続された状態で一時停止中である場合と同様の動作を車載用表示システムに行わせることができる。具体的には、上記の車載用中継装置は、第１応答信号を模擬した信号を車載用表示システムに送信することで、車載用表示システムを「ディスプレイに解除操作用の画像を表示させた状態」にすることができ、映像信号出力装置とは異なる種類の装置であっても、解除操作用の画像を表示させることができる。例えば、上記の車載用中継装置は、自身が接続部に接続されている場合、記録媒体を実際に一時停止にしなくても、その場合と同様の動作を車載用表示システムに行わせることができる。
【００２１】
＜第１実施形態＞
１．車載システムの概要
図１には、第１実施形態に係る車載用中継装置１０を備えた車載システム１が例示される。車載システム１は、車載用表示システム７０と車載用中継装置１０とを備え、情報端末１００から出力される映像信号に応じた映像を車載用表示システム７０に表示し得るシステムである。車載用表示システム７０は、以下の説明において表示システム７０とも称される。車載用中継装置１０は、以下の説明において中継装置１０とも称される。
【００２２】
表示システム７０は、例えばナビゲーション機能を有さないディスプレイオーディオとして構成されていてもよく、カーナビゲーションシステムとして構成されていてもよい。
【００２３】
表示システム７０は、制御装置７２、ディスプレイ７４、音声出力部７６、外部機器入出力部７８、操作部８０、テレビ機能部８２、ラジオ機能部８４、bluetooth通信部８６、記憶部８８などを備える。「bluetooth」は、登録商標である。なお、図１で示される表示システム７０はあくまで一例であり、他の機能が付加されていてもよい。また、図１で示される表示システム７０は、ディスプレイ７４、音声出力部７６、外部機器入出力部７８、操作部８０、記憶部８８を有していれば、他の機能は省略されていてもよい。
【００２４】
ディスプレイ７４は、液晶表示装置などの表示装置として構成され、動画や静止画などの様々な映像を表示し得る。ディスプレイ７４の種類は、液晶表示装置に限定されず、有機ＥＬディスプレイやプラズマディスプレイなど、他の種類のディスプレイであってもよい。
【００２５】
音声出力部７６は、例えば、制御装置７２又は他の装置から与えられる音声信号に基づいて車載スピーカから音声を出力するスピーカシステムとして構成されている。図１では、車載スピーカの具体的図示は省略されている。なお、音声出力部７６は、車載スピーカから音声を出力する構成に限定されず、例えば、音声出力端子からイヤホンやヘッドホンに音声を出力する機能を有していてもよく、音声出力端子から他の外部機器に音声を出力する機能を有していてもよい。
【００２６】
外部機器入出力部７８は、予め定められた特定の種類の映像信号出力装置との信号の送受信を行い得る装置である。外部機器入出力部７８は、接続部９０に設けられた端子を介して信号の入出力を行い得る。特定の種類は、例えば「少なくともディスク状の記録媒体を再生し得る種類」である。この場合、ディスク状の記録媒体は、ＤＶＤ（Digital Versatile Disc）やＢＤ（Blu-ray Disc：登録商標）などである。特定の種類は、この例に限定されず、例えば「テレビ放送の映像信号や音声信号を出力し得る種類」であってもよい。この場合、特定の種類の映像信号出力装置は、例えばデジタルテレビチューナなどである。特定の種類は、「インターネットを介して取得されたファイルに基づく映像信号や音声信号を出力し得る種類」であってもよい。
【００２７】
図２に示されるように、接続部９０には、映像信号入力端子９２、音声信号入力端子９５，９６、通信用端子９７，９８が設けられている。以下の説明では、映像信号入力端子９２、音声信号入力端子９５，９６、通信用端子９７，９８は、それぞれ端子９２，９５，９６，９７，９８とも称される。端子９２，９５，９６，９７，９８は、入力端子の一例に相当する。
【００２８】
映像信号入力端子９２は、例えば、ＮＴＳＣ（National Television System Committee）の通信規格に従った映像信号が入力される端子として構成されている。外部機器入出力部７８は、映像信号入力端子９２から入力されるＮＴＳＣ方式の映像信号を受信する。外部機器入出力部７８及び制御装置７２は、映像信号入力端子９２から入力される映像信号に応じた処理（例えば、この映像信号によって表される映像をディスプレイ７４に表示させる処理）を行い得る。なお、ここで説明される映像信号の種類はあくまで一例であり、映像信号は、他の方式のものが採用されてもよい。
【００２９】
図２では、音声信号入力端子９５，９６が簡略的に示されている。音声信号入力端子９５は、具体的には図３のように、Ｒ＋用の音声入力端子９５Ａ及びＲ−用の音声入力端子９５Ｂを備える。外部機器入出力部７８は、音声入力端子９５Ａ，９５Ｂから入力される右音声用のバランス方式の音声信号を受信する。外部機器入出力部７８及び制御装置７２は、音声入力端子９５Ａ，９５Ｂを介して入力される音声信号に応じた処理（例えば、この音声信号の音声を音声出力部７６に出力させる処理）を行い得る。音声信号入力端子９６は、具体的には図３のように、Ｌ＋用の音声入力端子９６Ａ及びＬ−用の音声入力端子９６Ｂを備える。外部機器入出力部７８は、音声入力端子９６Ａ，９６Ｂから入力される左音声用のバランス方式の音声信号を受信する。外部機器入出力部７８及び制御装置７２は、音声入力端子９６Ａ，９６Ｂを介して入力される音声信号に応じた処理（例えば、この音声信号の音声を音声出力部７６に出力させる処理）を行い得る。なお、図３では図示は省略されているが、音声変換回路３０から出力部２５側へと続くようにグラウンド線（図示は省略）が設けられ、接続部９０には音声入力用のグラウンド端子（図示は省略）が設けられている。そして、音声変換回路３０から続くグラウンド線と接続部９０のグラウンド端子とを電気的に接続するようにケーブル部６０においてグラウンド線（図示は省略）が設けられている。
【００３０】
操作部８０は、使用者によって操作される部分であり、外部からの操作に応じた情報を制御装置７２に与え得る部分である。操作部８０は、ディスプレイ７４を覆うように配置されたタッチパネル８０Ａ（図６）や操作ボタンなどの入力インタフェースを１以上有する。操作部８０を構成する入力インタフェースの種類や数は限定されず、回転式の操作部やレバー式の操作部などを備えていてもよい。操作部８０の一部として、又は操作部８０とは異なる入力部として、音声入力などの非接触入力を行い得る入力インタフェースが設けられていてもよい。
【００３１】
テレビ機能部８２は、公知のテレビとして機能する部分である。ラジオ機能部８４は、公知のラジオとして機能する部分である。bluetooth通信部８６は、bluetooth通信機能が搭載された装置とbluetooth通信を行う部分である。
【００３２】
記憶部８８は、ＲＯＭ、ＲＡＭ、不揮発性メモリ、ハードディスクドライブ、ソリッドステートドライブ、その他の記憶媒体、などの記憶装置を有する。記憶部８８における記憶媒体の種類は特に限定されない。記憶部８８には、各種情報が記憶される。
【００３３】
このように構成された表示システム７０は、上述の「特定の種類」の映像信号出力装置を接続部９０に接続することが可能とされ、図１６にはその一例が示されている。また、表示システム７０は、このような接続に代えて、「特定の種類」の映像信号出力装置を接続部９０に接続せずに、図１のように中継装置１０を接続部に９０に接続することも可能とされている。
【００３４】
図１６には、「特定の種類」の映像信号出力装置１０２が例示され、具体的には映像信号出力装置１０２としてＤＶＤプレーヤが例示されている。表示システム７０が対象とする「特定の種類」の映像信号出力装置は、記録媒体に記録された映像情報を再生することができ、且つ映像情報を再生しているときに映像信号や音声信号を外部に出力し得る装置である。「特定の種類」の映像信号出力装置１０２が扱う記録媒体は、当該映像信号出力装置１０２において再生可能に保持されることが可能であり且つ当該映像信号出力装置１０２から離脱させることが可能なものである。記録媒体としては、例えば、ＤＶＤディスク、ブルーレイディスク、その他のディスク、ＳＤカードやＵＳＢメモリなどの半導体メモリ、などが例示される。映像信号出力装置１０２に上記記録媒体が保持された状態とは、上記記録媒体が映像信号出力装置１０２に配置されるとともに上記記録媒体が映像信号出力装置１０２によって再生され得る状態である。この「再生され得る状態」とは、具体的には、映像信号出力装置１０２に対して再生指示（例えば、再生を指示する外部操作）が行われた場合に記録媒体が再生される状態である。
【００３５】
情報端末１００は、外部装置の一例に相当する。情報端末１００は、中継装置１０の外部に設けられる装置であり且つ表示システム７０とは異なる装置である。情報端末１００は、中継装置１０に対して映像信号及び音声信号を出力し得る装置であればよい。情報端末１００は、スマートフォン、タブレット端末、携帯電話機などの携帯型情報端末であってもよく、その他の情報端末であってもよい。図１、図２の例では、情報端末１００がケーブル部５０を介して中継装置１０に電気的に接続されており、情報端末１００からの信号がケーブル部５０を介して中継装置１０に入力されるようになっている。
【００３６】
情報端末１００は、映像出力端子を介してＮＴＳＣ方式の映像信号を出力し得るようになっており、図２、図３の例では、情報端末１００の映像出力端子から出力される映像信号が配線部５２を介して伝送される。なお、ここで例示される映像信号の種類はあくまで一例であり、映像信号の種類は他の方式のものが採用されてもよい。情報端末１００は、音声出力端子を介してＲＣＡ方式の音声信号を出力し得るようになっており、図２、図３の例では、情報端末１００の音声出力端子から出力される右音声用の音声信号が配線部５３を介して伝送され、情報端末１００の音声出力端子から出力される左音声用の音声信号が配線部５４を介して伝送される。なお、ここで例示される音声信号の種類はあくまで一例であり、音声信号の種類は他の方式のものが採用されてもよい。
【００３７】
図２のように、ケーブル部５０は、配線部５２，５３，５４を備える。配線部５２，５３，５４は、全てが一体的に纏まっていてもよく、一部又は全部が個別に分離されていてもよい。図２では、配線部５３、配線部５４が簡略的に示されているが、実際には、図３のように構成されている。
【００３８】
配線部５２は、映像信号を伝送する配線部である。配線部５２で伝送される映像信号は、例えば上述のＮＴＳＣ方式の映像信号である。図３の例では、配線部５２は、一端が情報端末１００の端子（映像信号出力端子）に電気的に接続され、他端が中継装置１０の端子２２に電気的に接続されている。端子２２は、入力部２０の一部をなす入力端子であり、外部装置からの映像信号を中継装置１０内に入力するための端子である。
【００３９】
配線部５３は、例えば上述のＲＣＡ方式の音声信号を伝送する配線部である。具体的には、図３のように、配線部５３は、右音声用信号線５３Ａと基準電位線５３Ｃとを備える。配線部５３を介して伝送される音声信号は、ＲＣＡ方式の右音声用のアナログ音声信号であり、基準電位線５３Ｃと信号線５３Ａとの間の電位差の信号である。右音声用信号線５３Ａは、一端が情報端末１００の右音声用の信号出力端子に電気的に接続され、他端が中継装置１０の端子２３Ａに電気的に接続されている。基準電位線５３Ｃは、一端が情報端末１００の基準端子に電気的に接続され、他端が中継装置１０の端子２３Ｃに電気的に接続されている。
【００４０】
配線部５４は、ＲＣＡ方式の音声信号を伝送する配線部である。具体的には、図３のように、配線部５４は、左音声用信号線５４Ａと基準電位線５４Ｃとを備える。配線部５４を介して伝送される音声信号は、ＲＣＡ方式の左音声用のアナログ音声信号であり、基準電位線５４Ｃと信号線５４Ａとの間の電位差の信号である。左音声用信号線５４Ａは、一端が情報端末１００の左音声用の信号出力端子に電気的に接続され、他端が中継装置１０の端子２４Ａに電気的に接続されている。基準電位線５４Ｃは、一端が情報端末１００の基準端子に電気的に接続され、他端が中継装置１０の基準端子２４Ｃに電気的に接続されている。
【００４１】
情報端末１００は、映像信号を音声信号とともに出力する場合、配線部５２を介してＮＴＳＣ方式の映像信号を出力しつつ、配線部５３を介して右音声用のアナログ音声信号を出力し、配線部５４を介して左音声用のアナログ音声信号を出力する。図３の例では、基準電位線５３Ｃと基準電位線５４Ｃとが別々の導電路として構成されているが、これらが共通の導電路として構成されていてもよい。
【００４２】
図２のように、ケーブル部６０は、配線部６２，６５，６６，６７，６８，６９を備える。配線部６２，６５，６６，６７，６８，６９は、全てが一体的に纏まっていてもよく、一部又は全部が個別に分離されていてもよい。図２では、配線部６５、配線部６６が簡略的に示されているが、実際には、図３のように構成されている。
【００４３】
配線部６２は、映像信号を伝送する配線部である。配線部６２で伝送される映像信号は、例えば上述のＮＴＳＣ方式の映像信号である。図３の例では、配線部６２は、一端が中継装置の端子２６（映像信号を出力する端子）に電気的に接続され、他端が表示システム７０の端子９２に電気的に接続されている。端子９２は、接続部９０の一部をなす入力端子であり、表示システム７０内に映像信号を入力するための端子である。
【００４４】
配線部６５は、バランス方式の音声信号を伝送する配線部である。図３のように、配線部６５は、右音声用信号線６５Ａ，６５Ｂを備える。右音声用信号線６５Ａ，６５Ｂを介して伝送される音声信号は、バランス方式の右音声用のアナログ音声信号であり、右音声用信号線６５Ａ，６５Ｂの間の電位差の信号である。右音声用信号線６５Ａは、右音声用正側端子（Ｒ＋端子）に接続されるＲ＋用の信号線であり、一端が端子２７Ａに電気的に接続され、他端が端子９５Ａに電気的に接続される。右音声用信号線６５Ｂは、右音声用負側端子（Ｒ−端子）に接続されるＲ−用の信号線であり、一端が端子２７Ｂに電気的に接続され、他端が端子９５Ｂに電気的に接続される。
【００４５】
配線部６６は、バランス方式の音声信号を伝送する配線部である。図３のように、配線部６６は、左音声用信号線６６Ａ，６６Ｂを備える。左音声用信号線６６Ａ，６６Ｂを介して伝送される音声信号は、バランス方式の左音声用のアナログ音声信号であり、左音声用信号線６６Ａ，６６Ｂの間の電位差の信号である。左音声用信号線６６Ａは、左音声用正側端子（Ｌ＋端子）に接続されるＬ＋用の信号線であり、一端が端子２８Ａに電気的に接続され、他端が端子９６Ａに電気的に接続される。左音声用信号線６６Ｂは、左音声用負側端子（Ｌ−端子）に接続されるＬ−用の信号線であり、一端が端子２８Ｂに電気的に接続され、他端が端子９６Ｂに電気的に接続される。
【００４６】
図３のように、出力部２５には、中継装置１０のグラウンド線に電気的に接続される端子２９が設けられている。ケーブル部６０には、出力部２５の端子２９に接続されるグラウンド線６９が設けられており、ケーブル部６０のグラウンド線６９は、接続部９０に設けられたグラウンド端子ＳＧに電気的に接続される。
【００４７】
図２で示される配線部６７，６８は、例えばＡＶＣ−ＬＡＮ（Audio visual Communication - Local Area Network）方式に従った通信信号が伝送される配線部である。配線部６７は、例えばＡＶＣ−ＬＡＮ方式におけるＴＸ＋端子に電気的に接続される信号線であり、一端が端子２９Ａに電気的に接続され、他端が端子９７に電気的に接続される。配線部６８は、例えばＡＶＣ−ＬＡＮ方式におけるＴＸ−端子に電気的に接続される信号線であり、一端が端子２９Ｂに電気的に接続され、他端が端子９８に電気的に接続される。
【００４８】
２．中継装置の詳細
図１のように、中継装置１０は、表示システム７０を信号の伝送対象とする装置である。図２に示されるように、中継装置１０は、主に、伝送部１１、入力部２０、制御部４０などを備える。図２では、入力部２０、伝送線１３，１４，１５，１６、音声変換回路３０が簡略的に示されているが、これらは具体的には図３のように構成されている。図３では、制御部４０などは省略されている。
【００４９】
図３のように、入力部２０は、情報端末１００（外部装置）から映像信号が入力される部分である。情報端末１００から入力される映像信号は「第２の映像信号」の一例に相当する。入力部２０は、配線部５２が電気的に接続される映像端子２２と、配線部５３が電気的に接続される信号端子２３Ａ及び基準端子２３Ｃと、配線部５４が電気的に接続される信号端子２４Ａ及び基準端子２４Ｃとを有する。映像端子２２、信号端子２３Ａ、基準端子２３Ｃ、信号端子２４Ａ、基準端子２４Ｃはそれぞれ端子２２，２３Ａ，２３Ｃ，２４Ａ，２４Ｃとも称される。
【００５０】
端子２３Ａ，２３Ｃは、ＲＣＡ方式のアナログ音声信号を入力するための端子である。端子２３Ａは、右音声用信号線５３Ａに電気的に接続される右音声用信号端子（Ｒ端子）であり、右音声用の信号（電圧信号）が入力される端子である。端子２３Ｃは、基準電位線５３Ｃに電気的に接続される基準端子である。情報端末１００（外部装置）から端子２３Ａ，２３Ｃに入力される音声信号は、端子２３Ａ，２３Ｃの間の電位差の信号であり、基準端子２３Ｃの電位を基準とする信号端子２３Ａの電圧の信号である。端子２３Ａ，２３Ｃに入力される音声信号は、減衰回路３２Ａ及び反転減衰回路３２Ｂにそれぞれ入力される。基準電位線５３Ｃは、情報端末１００の基準導電路に電気的に接続される導電路である。情報端末１００の基準導電路は、車載システム１が搭載される車両のグラウンドに電気的に接続されてもよく、車両のグラウンドから絶縁された状態で基準電位とされる導電路であってもよい。端子２３Ｃの電位は、グラウンド電位（０Ｖ）に保たれていてもよく、グラウンド電位からずれた所定電位であってもよい。
【００５１】
端子２４Ａ，２４Ｃは、ＲＣＡ方式のアナログ音声信号を入力するための端子である。端子２４Ａは、左音声用信号線５４Ａに電気的に接続される左音声用信号端子（Ｌ端子）であり、左音声用の信号（電圧信号）が入力される端子である。端子２４Ｃは、基準電位線５４Ｃに電気的に接続される基準端子である。情報端末１００（外部装置）から端子２４Ａ，２４Ｃに入力される音声信号は、端子２４Ａ，２４Ｃの間の電位差の信号であり、基準端子２４Ｃの電位を基準とする信号端子２４Ａの電圧の信号である。端子２４Ａ，２４Ｃに入力される音声信号は、減衰回路３４Ａ及び反転減衰回路３４Ｂにそれぞれ入力される。基準電位線５４Ｃは、情報端末１００の基準導電路に電気的に接続される導電路である。
【００５２】
伝送部１１は、信号を伝送する部分である。図２のように、伝送部１１は、伝送線１２，１３，１４，１５，１６と、音声変換回路３０とを有する。
【００５３】
伝送部１１は、図１、図２のように中継装置１０が接続部９０に電気的に接続された場合に、入力部２０に入力された映像信号（第２の映像信号）に応じた映像信号を、接続部９０を介して表示システム７０に伝送し得る部分である。伝送部１１は、入力部２０に映像信号（第２の映像信号）が入力された場合、この映像信号をそのまま接続部９０を介して表示システム７０に入力してもよく、この映像信号に対して所定の処理（例えばフィルタ処理）などを施した上で接続部９０を介して表示システム７０に入力してもよい。
【００５４】
図３で示される代表例では、伝送線１２が端子２２と端子２６との間に配置されており、情報端末１００（外部装置）から端子２２（入力端子）にＮＴＳＣ方式の映像信号（第２の映像信号）が入力された場合、この映像信号が伝送線１２を介してそのまま端子２６から出力され、表示システム７０に入力されるようになっている。
【００５５】
伝送線１３Ａは、端子２３Ａと減衰回路３２Ａの一方の入力端子と反転減衰回路３２Ｂの一方の入力端子とに電気的に接続された導電路であり、信号線５３Ａを介して端子２３Ａに入力された電圧信号を、減衰回路３２Ａ及び反転減衰回路３２Ｂにそれぞれ入力する経路である。伝送線１３Ｃは、端子２３Ｃと減衰回路３２Ａの他方の入力端子と反転減衰回路３２Ｂの他方の入力端子とに電気的に接続された導電路であり、減衰回路３２Ａ及び反転減衰回路３２Ｂのそれぞれの他方の入力端子に基準電位の信号を入力する経路である。伝送線１３Ｃとグラウンドとの間には抵抗が設けられ、この抵抗にはコンデンサが並列に接続される。
【００５６】
伝送線１４Ａは、端子２４Ａと減衰回路３４Ａの一方の入力端子と反転減衰回路３４Ｂの一方の入力端子とに電気的に接続された導電路であり、信号線５４Ａを介して端子２４Ａに入力された電圧信号を、減衰回路３４Ａ及び反転減衰回路３４Ｂにそれぞれ入力する経路である。伝送線１４Ｃは、端子２４Ｃと減衰回路３４Ａの他方の入力端子と反転減衰回路３４Ｂの他方の入力端子とに電気的に接続された導電路であり、減衰回路３４Ａ及び反転減衰回路３４Ｂのそれぞれの他方の入力端子に基準電位の信号を入力する経路である。伝送線１４Ｃとグラウンドとの間には抵抗が設けられ、この抵抗にはコンデンサが並列に接続される。
【００５７】
減衰回路３２Ａは、第１減衰回路の一例に相当し、信号端子２３Ａを介して入力された電圧信号を減衰させた第１電圧信号を出力するように動作する。減衰回路３２Ａの減衰率は、１／２以下であることが望ましく、以下で説明される代表例では１／２の減衰率とされている。つまり、以下で説明される代表例では、減衰回路３２Ａから伝送線１５Ａに出力される電圧Ｖｂ１（基準電位を基準とする伝送線１５Ａの電圧）は、伝送線１３Ａを介して入力される電圧Ｖａ（伝送線１３Ｃの基準電位を基準とする伝送線１３Ａの電圧）の１／２である。
【００５８】
反転減衰回路３２Ｂは、第２減衰回路の一例に相当し、信号端子２３Ａを介して入力された電圧信号を反転及び減衰させた第２電圧信号を出力するように動作する。反転減衰回路３２Ｂの減衰率は、１／２以下であることが望ましく、以下で説明される代表例では１／２の減衰率とされている。つまり、反転減衰回路３２Ｂから出力される電圧Ｖｂ２（基準電位を基準とする伝送線１５Ｂの電圧）は、伝送線１３Ａを介して入力される電圧Ｖａを反転させた反転電圧−Ｖａの１／２である。
【００５９】
図３のように、中継装置１０が接続部９０に電気的に接続されている場合には、伝送線１５Ａ（第１導電路）が接続部９０における端子９５Ａ（第１の音声入力端子）に電気的に接続され、伝送線１５Ｂ（第２導電路）が接続部９０における端子９５Ｂ（第２の音声入力端子）に電気的に接続される。従って、端子２３Ｃの電位を基準とする端子２３Ａの電圧の信号として図４（Ａ）のような入力信号（アンバランス信号）が入力された場合には、減衰回路３２Ａから伝送線１５Ａに第１電圧信号（図４（Ｂ）で示される１／２減衰信号）が出力され且つ第１電圧信号が端子９５Ａを介して表示システム７０に入力され、更に、反転減衰回路３２Ｂから伝送線１５Ｂに第２電圧信号（図４（Ｂ）で示される１／２減衰反転信号）が出力され且つ第２電圧信号が端子９５Ｂを介して表示システム７０に入力される。上述の第１電圧信号（１／２減衰信号）は、基準電位を基準とする伝送線１５Ａの電圧の信号である。上述の第２電圧信号（１／２減衰反転信号）は、基準電位を基準とする伝送線１５Ｂの電圧の信号である。従って、端子９５Ａ，９５Ｂに入力される音声信号（電圧信号）は、図４（Ｃ）のようなバランス信号となる。端子９５Ａ，９５Ｂに入力される音声信号（電圧信号）は、端子ＳＧの電位を基準とする。
【００６０】
減衰回路３４Ａは、第１減衰回路の一例に相当し、信号端子２４Ａを介して入力された電圧信号を減衰させた第１電圧信号を出力するように動作する。減衰回路３４Ａの減衰率は、１／２以下であることが望ましく、以下で説明される代表例では１／２の減衰率とされている。
【００６１】
反転減衰回路３４Ｂは、第２減衰回路の一例に相当し、信号端子２４Ａを介して入力された電圧信号を反転及び減衰させた第２電圧信号を出力するように動作する。反転減衰回路３４Ｂの減衰率は、１／２以下であることが望ましく、以下で説明される代表例では１／２の減衰率とされている。
【００６２】
図３のように、中継装置１０が接続部９０に電気的に接続されている場合には、伝送線１６Ａ（第１導電路）が接続部９０における端子９６Ａ（第１の音声入力端子）に電気的に接続され、伝送線１６Ｂ（第２導電路）が接続部９０における端子９６Ｂ（第２の音声入力端子）に電気的に接続される。従って、端子２４Ｃの電位を基準とする端子２４Ａの電圧の信号として図４（Ａ）のような入力信号（アンバランス信号）が入力された場合には、減衰回路３４Ａから伝送線１６Ａに第１電圧信号（図４（Ｂ）で示される１／２減衰信号）が出力され且つ第１電圧信号が端子９６Ａを介して表示システム７０に入力され、更に、反転減衰回路３４Ｂから伝送線１６Ｂに第２電圧信号（図４（Ｂ）で示される１／２減衰反転信号）が出力され且つ第２電圧信号が端子９６Ｂを介して表示システム７０に入力される。上述の第１電圧信号（１／２減衰信号）は、基準電位を基準とする伝送線１６Ａの電圧の信号である。上述の第２電圧信号（１／２減衰反転信号）は、基準電位を基準とする伝送線１６Ｂの電圧の信号である。従って、端子９６Ａ，９６Ｂに入力される音声信号（電圧信号）は、図４（Ｃ）のようなバランス信号となる。端子９６Ａ，９６Ｂに入力される音声信号（電圧信号）は、端子ＳＧの電位を基準とする。
【００６３】
図２のように、制御部４０は、主に制御回路４２と通信回路４４とを備える。制御回路４２は、例えばマイクロコンピュータなどの情報処理装置を有しており、各種演算や各種制御を行い得る。通信回路４４は、制御部４０と協働して通信制御を行うドライバ回路であり、信号線１７，１８を介して信号の送受信を行う回路である。通信回路４４が採用する通信方式は特に限定されず、代表例ではＡＶＣ−ＬＡＮ方式が採用されるが、その他の方式であってもよい。
【００６４】
３．表示システム側の基本動作
図５は、表示システム７０（図１）の制御装置７２が実行する制御の流れを例示するフローチャートである。表示システム７０は、外部機器入出力部７８に接続される装置に関する処理を、図５のような流れで行う。なお、図５のフローチャートでは、表示システム７０が行う他の制御、処理は省略されている。
【００６５】
制御装置７２（図１）は、所定の開始条件が成立した場合に図５の制御を開始する。所定の開始条件は、表示システム７０に電源が投入されたことであってもよく、表示システム７０において所定操作が行われたことであってもよく、その他の条件であってもよい。制御装置７２（図１）は、図５の制御を開始した後、ステップＳ１において、接続部９０を介して機器信号及び保持信号を取得しているか否かを判断する。制御装置７２（図１）は、接続部９０に電気的に接続された外部の装置から上記機器信号及び上記保持信号を取得している場合には処理をステップＳ２に進め、「選択可設定」とする。制御装置７２（図１）は、上記機器信号又は上記保持信号のいずれかを取得していない場合には、処理をステップＳ９に進め、「選択不可設定」とする。接続部９０に電気的に接続された外部の装置とは、即ち、外部機器入出力部７８に電気的に接続された外部の装置である。以下の説明では、接続部９０に電気的に接続された外部の装置は、特定機器とも称される。
【００６６】
「選択可設定」とは、「接続部９０に電気的に接続された装置からの信号に応じた映像表示や音声出力を表示システム７０が行うことを可能とする選択」をユーザが行い得る設定である。つまり、「選択可設定」とされているときには、ユーザは、所定の操作によって「接続部９０に電気的に接続された装置からの信号に応じた映像表示や音声出力を表示システム７０が行うことを可能とする設定」に切り替えることができる。「選択不可設定」とは、「接続部９０に電気的に接続された装置からの信号に応じた映像表示や音声出力を表示システム７０が行うことを可能とする選択」をユーザが行えない設定である。「選択不可設定」のときには、接続部９０に電気的に接続された装置からの信号に応じた映像表示や音声出力を表示システム７０が行うことは禁止される。
【００６７】
具体的には、表示システム７０は、制御装置７２において「選択可設定」とされている場合に、常時又は操作部８０に対する所定操作に応じて図６のような「所定の操作用画面」が表示されるようになっている。そして、図６のような「所定の操作用画面」が表示された状態で、操作部８０に対して外部から所定選択操作（例えば、タッチパネル８０Ａの接触可能領域ＡＲにおける表示領域７４Ｃの部分に接触する接触操作等）がなされた場合に「接続部９０に電気的に接続された装置を処理対象として選択した選択中の設定」となる。なお、図６の表示画面の例では、上記所定選択操作以外の他の選択操作を行うための表示領域７４Ａ，７４Ｂ，７４Ｄ，７４Ｅ，７４Ｆ，７４Ｇ，７４Ｈも構成されている。
【００６８】
また、表示システム７０では、制御装置７２において「選択不可設定」とされている場合には、図６のような「所定の操作用画面」がディスプレイ７４に表示されないようになっており、代わりに、図７又は図８のような「操作用画面」が表示される。具体的には、表示システム７０は、接続部９０を介して「機器信号」を取得していない場合、「操作用画面」（選択可能な機器のリストを示す画像）として、図６のような画像に代えて、図７のような画像を表示する。図７の画像では、表示領域７４Ｃ（図６）の画像が表示されないため、操作部８０に対する上記所定選択操作（例えば、表示領域７４Ｃの画像の表面部に接触する接触操作等）を行えなくなる。従って、この場合には、表示領域７４Ｃ（図６）の画像を選択したことを示す信号が表示システム７０に入力されることはなく、「接続部９０に電気的に接続された装置を処理対象として選択した選択中の設定」になることはない。一方で、表示システム７０は、接続部９０を介して「機器信号」を取得済みで「保持信号」を取得していない場合、図６のような画像に代えて、図８のような画像を表示する。この場合、表示システム７０は、図８のように、表示領域７４Ｃの画像を図６のような「所定の操作用画面」から変えた画像（グレーアウトさせた画像）をディスプレイ７４に表示する。図８のような変更画面がディスプレイ７４に表示された状態では、上記所定選択操作（例えば、表示領域７４Ｃの画像の表面部に接触する接触操作等）を行っても、表示領域７４Ｃの画像を選択したことを示す信号は表示システム７０に入力されず、「接続部９０に電気的に接続された装置を処理対象として選択した選択中の設定」にはならない。
【００６９】
このように、表示システム７０では、「選択可設定」とされていることを条件として、「接続部９０に電気的に接続された装置を処理対象として選択した選択中の設定」が許容され、「選択不可設定」とされているときには、このような選択中の設定は禁止される。
【００７０】
「機器信号」は、表示システム７０が接続部９０に接続された装置を処理対象の装置として認識する条件となる信号である。「機器信号」は、「操作用画面」（選択可能な機器のリストを示す画像）を表示する場合において、上記所定選択操作を行うための画像（表示領域７４Ｃの画像）又は当該画像をグレーアウトさせた画像を表示する条件となる信号でもある。「機器信号」は、表示システム７０が接続部９０に接続された装置（即ち、外部機器入出力部７８に電気的に接続された装置）の動作を許可する条件となる信号でもある。従って、表示システム７０は、接続部９０を介して「機器信号」が取得済みであることを条件として接続部９０に接続された装置からの信号に応じた動作（音声を出力する動作や映像を表示する動作など）や接続部９０に接続された装置に対する指示（例えば、一時停止信号、再生信号、停止信号などの送信）を行う。逆に、表示システム７０は、接続部９０を介して「機器信号」が取得済みでない場合には、接続部９０に接続された装置からの信号に応じた動作を禁止する。「機器信号」は、特定の種類の映像信号出力装置であることを示す識別情報であり、表示システム７０において予め正規の識別情報として登録された情報である。表示システム７０において「機器信号」として登録される識別情報は、１種類であってもよく、２種類以上であってもよい。
【００７１】
例えば、図１６のように映像信号出力装置１０２が接続部９０に電気的に接続されている場合、映像信号出力装置１０２は、表示システム７０に対して接続部９０を介して「機器信号」を送信するようになっている。そして、表示システム７０は、映像信号出力装置１０２から接続部９０を介して「機器信号」が入力されることを条件として図６又は図８の表示を可能とし、図６の表示状態で上記所定選択操作がなされた場合に、映像信号出力装置１０２からの映像信号（第１の映像信号）に応じた映像をディスプレイ７４に表示するように動作する。
【００７２】
「保持信号」は、接続部９０に接続された装置において予め定められた規格で映像情報が記録された記録媒体が当該装置に保持されていることを示す信号である。「保持信号」は、表示システム７０を上述の「選択可設定」（許可状態）に設定する条件となる信号でもあり、具体的には、表示領域７４Ｃの画像を、図８のようなグレーアウトさせた画像（表示領域７４Ｃを選択する操作が不能な画像）から、図６のような正規画像（表示領域７４Ｃを選択する操作が可能な画像）に切り替える条件となる信号でもある。表示システム７０は、接続部９０に外部機器（映像信号出力装置１０２や中継装置１０など）が接続されており且つ当該外部機器から機器信号を取得している場合には、この外部機器を動作対象とする上記所定選択操作が可能な状態（具体的には、図６のような画面を表示可能な状態）である許可状態（選択可設定）と、上記所定選択操作が不能な状態（具体的には、図８のような画面を表示可能な状態）である不許可状態（選択不可設定）とに切り替えるようになっており、外部機器から「保持信号」を受信したことを条件として上記許可状態（選択可設定）に切り替えるようになっている。
【００７３】
例えば、図１６のように接続部９０に映像信号出力装置１０２が電気的に接続されている場合、「保持信号」は、映像信号出力装置１０２に上記記録媒体（例えばＤＶＤディスク）が保持されていることを示す信号である。映像信号出力装置１０２は、自身が接続部９０に電気的に接続された状態で上記記録媒体が自身の内部に保持されている場合、上記機器信号だけでなく上記保持信号（具体的には記録媒体が映像信号出力装置１０２に保持されていることを示す情報）を表示システム７０に対して接続部９０を介して送信する。上記機器信号や上記保持信号の送信タイミングや送信回数は特に限定されず、表示システム７０で認識可能な方法であればよい。図５の例では、このように映像信号出力装置１０２から機器信号及び保持信号が送信されることにより、制御装置７２がステップＳ２において上記許可状態（選択可設定）とし、表示システム７０では、映像信号出力装置１０２を動作対象とする上記所定選択操作が可能な状態（図６）となりうる。
【００７４】
図５のように、制御装置７２（図１）は、ステップＳ２の後、上述した「接続部９０に電気的に接続された装置（特定機器）を処理対象として選択した選択中の設定」（以下、単に「選択中の設定」ともいう）がなされているか否かをステップＳ３において判断する。「選択中の設定」は、ユーザによって上記所定選択操作（具体的には図６の状態において表示領域７４Ｃを選択する操作）がなされることにより開始され、その後、「選択中の設定」を解除する解除条件が成立するまで継続する。「選択中の設定」を解除する解除条件は、例えば、操作部８０によって他の装置（テレビ機能部、ラジオ機能部など）を動作対象として選択する操作がなされることであってもよく、その他の条件（例えば所定の解除操作がなされること）であってもよい。
【００７５】
図５のように、制御装置７２（図１）は、ステップＳ３において「選択中の設定」がなされていると判断した場合には、ステップＳ４において接続部９０に電気的に接続された装置（特定機器）が再生中であるか否かを判断する。制御装置７２は、ステップＳ３において「選択中の設定」がなされていないと判断した場合には、処理をステップＳ１に戻し、ステップＳ１以降の処理を行う。なお、図５のフローチャートは、「選択中の設定」がなされていない場合（例えば、表示システム７０においてＡＭ、ＦＭ、ＴＶなどの他の機器が選択されている場合）の詳細な処理は省略されている。表示システム７０は、特定機器を処理対象として選択した「選択中の設定」がなされている場合、コマンド等を上記特定機器に送信するようになっている。
【００７６】
「接続部９０に電気的に接続された装置（特定機器）が再生中である」とは、具体的には、特定機器から直近に得られたステータス信号が「再生中信号の状態」である。「再生中」とは、「再生進行中の状態」と「一時停止状態」とを含む。なお、再生中以外の状態についての説明は省略する。再生中以外の状態とは、スロー再生、早送り、倍速再生などの状態であり、これら以外の状態が含まれていてもよい。「再生中信号」は、特定機器が再生中であることを示す信号であり、具体的には、「再生進行中であることを示すステータス信号」及び「一時停止状態であることを示すステータス信号」である。以下の説明では、後述の第１の特定信号、第２の特定信号、第１ステータス信号、第２ステータス信号が「再生中信号」の一例に相当する。「再生進行中であることを示すステータス信号」は、接続部９０に電気的に接続された装置が再生進行中であることを表示システム７０に認識させる信号である。以下の説明では、第２の特定信号及び第２ステータス信号が「再生進行中であることを示すステータス信号」の一例に相当する。「一時停止状態であることを示すステータス信号」は、接続部９０に電気的に接続された装置が一時停止状態であることを表示システム７０に認識させる信号である。以下の説明では、第１の特定信号及び第１ステータス信号が「一時停止状態であることを示すステータス信号」の一例に相当する。
【００７７】
図１６のような例では、映像信号出力装置１０２は、記録媒体の「一時停止状態」のときに「一時停止状態であることを示すステータス信号」として第１の特定信号を送信する。また、図１６の例では、映像信号出力装置１０２は、記録媒体の「再生進行中」のときに「再生進行中であることを示すステータス信号」として第２の特定信号を送信する。一方で、図１のような例では、中継装置１０は、「一時停止状態であることを示すステータス信号」として、第１ステータス信号を送信する。第１ステータス信号は、第１の特定信号と同一であってもよく、異なっていてもよい。また、図１の例では、中継装置１０は、「再生進行中であることを示すステータス信号」として、第２ステータス信号を送信する。第２ステータス信号は、第２の特定信号と同一であってもよく、異なっていてもよい。図１６の例では、制御装置７２は、ステップＳ４の処理において、特定機器（映像信号出力装置１０２）から直近に得られたステータス信号が第１の特定信号及び第２の特定信号のいずれかである場合には、ステップＳ４において再生中であると判断し、特定機器から直近に得られたステータス信号が第１の特定信号及び第２の特定信号以外の所定ステータス信号である場合には、ステップＳ４において再生中でないと判断する。また、図１の例では、制御装置７２は、ステップＳ４の処理において、特定機器（中継装置１０）から直近に得られたステータス信号が第１ステータス信号及び第２ステータス信号のいずれかである場合には、ステップＳ４において再生中であると判断し、特定機器（中継装置１０）から直近に得られたステータス信号が第１、第２ステータス信号以外のステータス信号である場合には、ステップＳ４において再生中でないと判断する。
【００７８】
図５のように、制御装置７２（図１）は、ステップＳ４において再生中であると判断した場合、ステップＳ６において「一時停止状態」であるか否かを判断する。具体的には、制御装置７２は、ステップＳ６において、特定機器から直近に得られたステータス信号が「一時停止状態であることを示すステータス信号」及び「再生進行中であることを示すステータス信号」のいずれであるかを判断し、「一時停止状態を示すステータス信号」（図１の例では第１ステータス信号、図１６の例では第１の特定信号）であると判断した場合には「一時停止状態」であると判断する。第１の特定信号は、第１応答信号の一例に相当し、第１ステータス信号は、第１応答信号を模擬した信号の一例に相当する。上述したように、第１応答信号と第１応答信号を模擬した信号は、完全に同一の信号であってもよく、一時停止状態を示す信号として表示システム７０に認識され得る信号であれば、若干異なっていてもよい。
【００７９】
制御装置７２は、ステップＳ６において、特定機器から直近に得られたステータス信号が「再生進行中であることを示すステータス信号」（図１の例では第２ステータス信号、図１６の例では第２の特定信号）であると判断した場合には「一時停止状態」でないと判断する。この例では、映像信号出力装置１０２が出力する第２の特定信号は、第２応答信号の一例に相当し、中継装置１０が出力する第２ステータス信号は、第２応答信号を模擬した信号の一例に相当する。なお、第２応答信号と第２応答信号を模擬した信号は、完全に同一の信号であってもよく、再生が進行している状態（一時停止が解除された状態）を示す信号として表示システム７０に認識され得る信号であれば、若干異なっていてもよい。
【００８０】
制御装置７２は、ステップＳ６において「一時停止状態」であると判断した場合、ステップＳ７において解除操作用の画像を表示した状態（具体的には、例えば図１１の状態）とする。制御装置７２は、ステップＳ６において「一時停止状態」でないと判断した場合、ステップＳ８において再生進行中の画像を表示した状態（具体的には、例えば図９又は図１０の状態）とする。図５の例では、制御装置７２は、接続部９０に電気的に接続された装置（特定機器）から上記再生中信号を取得している間は、接続部９０に電気的に接続された装置から端子９２を介して入力される映像信号に応じた映像をディスプレイ７４に表示するように動作する。
【００８１】
本実施形態において、「再生進行中の状態」とは、再生進行の条件（例えば、操作部８０に対して再生進行を指示する操作がなされること）が成立した後、再生進行の解除条件（例えば、操作部８０に対して再生進行を解除する操作がなされること）が成立するまでの状態である。具体的には、接続部９０に電気的に接続された装置が再生中であって且つ一時停止中の状態でないと制御装置７２が認識している状態である。そして、「一時停止状態」とは、一時停止の条件（例えば、操作部８０に対して一時停止を指示する操作がなされること）が成立した後、一時停止の解除条件（例えば、一時停止を解除する操作がなされること）が成立するまでの状態である。具体的には、接続部９０に電気的に接続された装置が再生中であって且つ一時停止中の状態であると制御装置７２が認識している状態である。制御装置７２（図１）は、図９のような再生進行中において所定操作（例えば、タッチパネル８０Ａに接触する操作）がなされた場合に、図１０のような操作用の画像が表示されるようになっている。そして、制御装置７２は、図１０のような操作用の画像が表示された状態で、一時停止を指示する所定操作（例えば、一時停止指示用の画像の表面部７４Ｌに接触する操作）がなされた場合に、ミュート状態とし、上記特定機器に対して一時停止を指示するコマンドを送信するように構成されている。ミュート状態とは、接続部９０に電気的に接続された装置からの音声信号を無効化する状態である。上記特定機器は、表示システム７０から一時停止を指示するコマンドを受信した場合に、第１応答信号又は第１応答信号を模擬した信号を表示システム７０に送信するように構成されている。そして、表示システム７０は、上記特定機器から第１応答信号又は第１応答信号を模擬した信号を受信した場合に、図１１のような解除操作用の画面を表示する。
【００８２】
このように、制御装置７２は、一時停止状態である場合、ステップＳ７において接続部９０に電気的に接続された装置からの音声信号を無効化するミュート状態とすることに加え、図１１のような解除操作用の画像を表示するようにディスプレイ７４の表示を制御する。制御装置７２は、ステップＳ７の後、処理をステップＳ３に戻し、ステップＳ３以降の処理を再び行う。本実施形態では、上述の「選択中の設定」が継続している場合において「一時停止状態」が継続している場合、ステップＳ７の処理が繰り返される。従って、図１１のような解除操作用の画像の表示が継続する。一方で、「選択中の設定」及び「一時停止状態」が継続してるときに「一時停止状態」を解除する操作がなされた場合には、ステップＳ６においてＮｏの判定となるため、ステップＳ８の処理が行われる。具体的には、制御装置７２は、図１１のような解除操作用の画像が表示された状態で一時停止状態を解除する所定操作（例えば、再生指示用の画像の表面部７４Ｑに接触する操作）がなされた場合に、ミュート状態を解除し、上記特定機器に対して一時停止の解除を指示するコマンド（再生の進行を指示するコマンド）を送信する。上記特定機器は、表示システム７０から再生の進行を指示するコマンドを受信した場合に、第２応答信号又は第２応答信号を模擬した信号を表示システム７０に送信する。表示システム７０は、上記特定機器から第２応答信号又は第２応答信号を模擬した信号を受信した場合に、ステップＳ６にてＮｏの判定となるため、図９又は図１０のような再生進行中の画像を表示する。
【００８３】
制御装置７２（図１）は、ステップＳ４において再生中でないと判断した場合（再生中でなく停止中である場合）、ステップＳ６、Ｓ７、Ｓ８の処理は行わず、処理をステップＳ１に戻す。なお、制御装置７２は、停止中には、接続部９０に電気的に接続された装置からの音声信号を無効化するミュート状態とする。
【００８４】
このように、表示システム７０は、音声信号の無効化（ミュート）と有効化（ミュート解除）を切り替え得る。例えば、映像信号出力装置１０２は、自身が接続部９０に電気的に接続された状態で自身が保持する記録媒体（映像情報が記録された媒体）の再生進行中である場合に、再生進行中であることを示すステータス信号である第２の特定信号を表示システム７０に対して接続部９０を介して繰り返し送信する。この状況では、表示システム７０は、ステップＳ８の処理を繰り返し行うため、図９又は図１０の表示により、映像信号に応じた映像をディスプレイ７４に表示する。この表示の際には、映像信号出力装置１０２から入力される音声信号に応じた音声を音声出力部７６によって出力する。また、映像信号出力装置１０２は、自身が接続部９０に接続された状態で記録媒体の一時停止中である場合には、一時停止中であることを示すステータス信号である第１の特定信号を表示システム７０に対して接続部９０を介して繰り返し送信するようになっている。この状況では、表示システム７０は、ステップＳ７の処理を繰り返し行うため、図１１の表示により、解除操作用の画像をディスプレイ７４に表示する。この表示の際には、ミュート状態が維持されるため「端子９５，９６を介して入力される音声信号に応じた音声出力」を行わない。映像信号出力装置１０２は、自身が接続部９０に接続された状態で記録媒体の停止中である場合には停止中であることを示すステータス信号である第３の特定信号を表示システム７０に対して接続部９０を介して繰り返し送信する。この状況では、表示システム７０は、ミュート状態が維持されるため「端子９５，９６を介して入力される音声信号に応じた音声出力」を行わない。
【００８５】
また、表示システム７０は、操作部８０を有し、接続部９０に外部機器が電気的に接続されている場合において操作部８０に対して一時停止操作がなされた場合に、ミュート状態とし、上記外部機器に一時停止指示信号（一時停止を指示するコマンド）を送信する。そして、表示システム７０は、上記一時停止指示信号の送信後、上記外部機器から「一時停止状態を示すステータス信号」（上記第１応答信号又は上記第１応答信号を模擬した信号）を受けることを条件として、ディスプレイ７４に図１１のような解除操作用の画像を表示させた状態を継続するようになっている。そして、表示システム７０は、図１１のようにディスプレイ７４に解除操作用の画像が表示されている場合において操作部８０に対して一時停止を解除する解除操作がなされた場合に、ミュート状態を解除し、上記外部機器に解除指示信号（再生の進行を指示するコマンド）を送信する。そして、このような解除指示信号の送信後、上記外部機器から「再生進行中であることを示すステータス信号」（上記第２応答信号又は上記第２応答信号を模擬した信号）を受けることを条件として、図９又は図１０のような再生進行中の画像に切り替え、図１１のような解除操作用の画像が消去された状態を継続するようになっている。
【００８６】
例えば、映像信号出力装置１０２は、自身が接続部９０に電気的に接続された状態で自身が保持する記録媒体（映像情報が記録された媒体）の再生を進行している場合において表示システム７０から一時停止を指示する一時停止指示信号（一時停止を指示するコマンド）を受けた場合に、上記記録媒体の再生中に一時停止を行い、且つ上述の第１ステータス信号（第１応答信号）を表示システム７０に対して接続部９０を介して送信する。この場合、表示システム７０は、ステップＳ７の繰り返しにより、図１１のような画面を表示しつつ一時停止中の画像を表示し続ける。このようにステップＳ７の処理が繰り返される期間は、映像信号出力装置１０２からの音声が無効な状態となる。更に、映像信号出力装置１０２は、上記のような一時停止中に、表示システム７０から一時停止の解除を指示する解除指示信号（再生進行中を指示するコマンド）を受けた場合には、上記記録媒体の一時停止状態を解除して再生を進行させるように再開し且つ上述の第２の特定信号（第２応答信号）を接続部９０を介して表示システム７０に送信する。この場合、表示システム７０は、ステップＳ８の処理を繰り返し行う状態に移行するため、図９又は図１０のような画面を表示しつつ再生進行中の画像を表示する。このようにステップＳ８の処理が繰り返される期間は、映像信号出力装置１０２からの音声が有効な状態となる。
【００８７】
４．中継装置の動作
図１、図２のように中継装置１０が接続部９０に電気的に接続されている場合、中継装置１０の制御部４０は、図１２のような流れで制御を行う。制御部４０は、例えば、所定の開始条件の成立（例えば、電源投入又はその他の開始条件の成立）に応じて図１２の制御を開始し、ステップＳ２１にて初期化処理を行う。初期化処理では、例えば、後述するアクティブフラグ及び一時停止フラグをいずれもクリア（「０」の設定）とする。制御部４０は、ステップＳ２１の後、ステップＳ２２にて表示システム７０からリセット信号を受信したか否かを判断する。なお、表示システム７０は、当該表示システム７０の起動時や所定条件の成立時に上記特定機器に対してリセット信号を送信するようになっており、制御部４０は、表示システムからリセット信号を受けた場合に、ステップＳ２３以降の処理を行うようになっている。
【００８８】
制御部４０は、ステップＳ２２において表示システム７０からリセット信号を受信していないと判断した場合にはステップＳ２２の判断を繰り返し、受信したと判断した場合には、ステップＳ２３にて上述の「機器信号」を模擬した「模擬信号」を表示システム７０に対し接続部９０を介して送信し、当該中継装置１０からの動作を許容させる。この「模擬信号」は、映像信号出力装置１０２が出力する機器信号と同一の信号であってもよく、映像信号出力装置１０２が出力する機器信号とは異なるが、予め正規の機器信号（識別情報）として表示システム７０に登録された情報であってもよい。即ち、「機器信号を模擬した模擬信号」は、接続部９０に所定機器が接続されていること（具体的には、接続部９０に接続されることが予定された機器が接続部９０に接続されていること）を表示システム７０が認識し得る信号であればよい。制御部４０は、このような「機器信号を模擬した模擬信号」を表示システム７０に送信することで、中継装置１０が映像信号出力装置１０２と異なる機器であっても、接続部９０に接続された中継装置１０が表示システム７０の処理対象の機器であると表示システム７０に認識させることができ、接続部９０に処理対象の機器が接続されていることを前提とする動作を表示システム７０に行わせることができる。「接続部９０に処理対象の機器が接続されていることを前提とする動作」は、接続部９０に接続された機器（この場合、中継装置１０）に信号を送信する動作や接続部９０に接続された機器からの信号に応じた動作などであり、例えば、図６のような画面を表示する動作（表示領域７４Ｃを選択することを許容する動作）や図８のような画面を表示する動作（表示領域７４Ｃをグレーアウトさせて選択不能とする動作）なども含む。
【００８９】
制御部４０は、ステップＳ２３の後、ステップＳ２４においてタイマを初期化し、タイマによる時間計測を開始する。更に、制御部４０は、ステップＳ２５において表示システム７０から受信データがあったか否かを判断し、受信データがあると判断した場合には、処理をステップＳ２６に進め、受信データがないと判断した場合には処理をステップＳ２８に進める。制御部４０は、ステップＳ２５において表示システム７０から受信データがあったと判断した場合、ステップＳ２６においてその受信データがリセット信号であるか否かを判断し、リセット信号である場合には処理をステップＳ２３に戻し、リセット信号でない場合には処理をステップＳ２７に進める。ステップＳ２７の受信データ処理は後述される。制御部４０は、ステップＳ２５において表示システム７０から受信データがないと判断した場合、ステップＳ２８において、ステップＳ２４で計測を開始したタイマが所定時間（例えば５秒）に到達したか否かを判断し、所定時間に到達していない場合には処理をステップＳ２５に戻し、所定時間に到達している場合には処理をステップＳ２９に進める。ステップＳ２９で行われるステータス送信処理は後述される。
【００９０】
制御部４０は、ステップＳ２９のステータス送信処理を図１３のような流れで行う。制御部４０は、ステップＳ２９の処理が開始された場合、ステップＳ３１においてアクティブフラグがクリアの状態（「０」の状態）であるかセットの状態（「１」の状態）であるかを判断する。制御部４０は、ステップＳ３１においてアクティブフラグがセットの状態（「１」の状態）でないと判断した場合、当該ステータス送信処理を終了する。制御部４０は、ステップＳ３１においてアクティブフラグがセットの状態（「１」の状態）であると判断した場合、ステップＳ３２において一時停止フラグがクリアの状態（「０」の状態）であるかセットの状態（「１」の状態）であるかを判断する。制御部４０は、ステップＳ３２において一時停止フラグがセットの状態（「１」の状態）でないと判断した場合、再生進行中であることを示す第２ステータス信号を表示システム７０に送信する。ここでの第２ステータス信号は、「進行中信号を模擬した信号」の一例に相当し、「第２応答信号を模擬した信号」の一例にも相当する。
【００９１】
このように、制御部４０は、アクティブフラグが「１」であり、一時停止フラグが「０」である場合、「進行中信号を模擬した信号」（第２ステータス信号）を表示システム７０に対し接続部９０を介して送信し、中継装置１０が「記録媒体の再生進行動作」を実際に行っていなくても、接続部９０に接続された装置が再生進行中であると表示システム７０に認識させることができる。従って、中継装置１０が接続部９０を介して表示システム７０に第２ステータス信号を送信したことが確認された状態で表示システム７０がステップＳ４（図５）の判断を行う場合、再生中であると判断し、その後のステップＳ６（図５）で再生進行中である（一時停止解除中である）と判断することになる。従って、このような許可状態のときに情報端末１００から中継装置１０へと映像信号（第２の映像信号）が送信され、この映像信号が中継装置１０によって直接又は処理されて端子９２に入力される場合には、表示システム７０は、端子９２を介して入力される映像信号に応じた映像を図９又は図１０のようにディスプレイ７４に表示する。よって、表示システム７０は、情報端末１００から出力される映像信号に応じた映像を表示することができる。また、ステップＳ８（図５）の処理によって上述した許可状態となっているときに情報端末１００から中継装置１０へとアンバランス音声信号が送信された場合には、中継装置１０によって音声変換処理がなされ、情報端末１００から送信されたアンバランス音声信号に応じたバランス音声信号が端子９５，９６を介して表示システム７０に入力され、音声出力部７６からは端子９５，９６を介して入力されるバランス音声信号に応じた音声が出力される。よって、情報端末１００から出力される音声信号に応じた音声を表示システム７０によって発することができる。
【００９２】
制御部４０は、図１３のステップＳ３２において一時停止フラグがセットの状態（「１」の状態）であると判断した場合、ステップＳ３４において一時停止中であることを示す第１ステータス信号を表示システム７０に送信する。ここでの第１ステータス信号は、上述の「第１応答信号を模擬した信号」の一例に相当する。
【００９３】
このように、制御部４０は、アクティブフラグが「１」であり、一時停止フラグが「１」である場合、「第１応答信号を模擬した信号」（第１ステータス信号）を表示システム７０に対し接続部９０を介して送信し、中継装置１０が「記録媒体の一時停止動作」を実際に行っていなくても、接続部９０に接続された装置が一時停止中であると表示システム７０に認識させることができる。従って、中継装置１０が接続部９０を介して表示システム７０に第１ステータス信号を送信したことが確認された状態で表示システム７０がステップＳ４（図５）の判断を行う場合、再生中であると判断し、ステップＳ６では、一時停止状態であると判断するため、ステップＳ７の処理を行うことになる。このように、ステップＳ７の処理が行われるため、ユーザは図１１のような解除操作用の画像に基づいて解除操作を行うことができる。
【００９４】
制御部４０は、図１２におけるステップＳ２７の処理を行う場合、図１４、図１５のような流れで行う。制御部４０は、ステップＳ２７の処理開始後、表示システム７０から当該表示システム７０のステータスを受信したか否かを判断する。制御部４０は、ステップＳ４１において表示システム７０のステータスを受信したと判断した場合、受信したステータスが「上記特定機器を選択するステータス」であるか否かを判断する。制御部４０は、ステップＳ４２において、表示システム７０から受信したステータスが「上記特定機器を選択するステータス」であると判断した場合、アクティブフラグをセット（「１」に設定）し、当該受信データ処理を終了する。制御部４０は、ステップＳ４２において、表示システム７０から受信したステータスが「上記特定機器を選択するステータス」でないと判断した場合（即ち、表示システム７０で他の機器が選択されている場合）、アクティブフラグをクリア（「０」に設定）し、一時停止フラグをクリア（「０」に設定）し、当該受信データ処理を終了する。なお、表示システム７０のステータスは、表示システム７０から上記特定機器に対して所定条件成立時又は定期的に送信される。
【００９５】
制御部４０は、ステップＳ４１において表示システム７０のステータスを受信していないと判断した場合、ステップＳ４５において上記特定機器に対する操作コマンドを受信したか否かを判断する。制御部４０は、ステップＳ４５において上記操作コマンドを受信したと判断した場合、ステップＳ４６においてその操作コマンドが起動要求であるか否かを判断する。制御部４０は、受信した操作コマンドが起動要求であるとステップＳ４６にて判断した場合には、ステップＳ４７にてアクティブフラグをセット（「１」に設定）し、一時停止フラグをクリア（「０」に設定）し、当該受信データ処理を終了する。
【００９６】
制御部４０は、ステップＳ４６において上記操作コマンドが起動要求でないと判断した場合、ステップＳ４８においてその操作コマンドが休止要求であるか否かを判断する。制御部４０は、受信した操作コマンドが休止要求であるとステップＳ４８にて判断した場合には、ステップＳ４９にてアクティブフラグをクリア（「０」に設定）し、一時停止フラグをクリア（「０」に設定）し、当該受信データ処理を終了する。
【００９７】
制御部４０は、ステップＳ４８において上記操作コマンドが休止要求でないと判断した場合、ステップＳ５０においてその操作コマンドが一時停止要求であるか否かを判断する。例えば、制御部４０は、表示システム７０から上述の「一時停止を指示するコマンド」を受信したことを確認済みの場合には、ステップＳ５０において一時停止要求であると判断する。制御部４０は、受信した操作コマンドが一時停止要求であるとステップＳ５０にて判断した場合には、ステップＳ５１にてアクティブフラグをセット（「１」に設定）し、一時停止フラグをセット（「１」に設定）し、ステップＳ５４にてステータス送信処理を行う。ステップＳ５４のステータス送信処理は、ステップＳ２９のステータス送信処理と同様であり、図１３のような処理である。
【００９８】
制御部４０は、ステップＳ５０において上記操作コマンドが一時停止要求でないと判断した場合、ステップＳ５２においてその操作コマンドが再生進行要求であるか否かを判断する。例えば、制御部４０は、表示システム７０から上述の「再生の進行を指示するコマンド」を受信したことを確認済みの場合には、ステップＳ５０において再生進行要求であると判断する。制御部４０は、受信した操作コマンドが再生進行要求であるとステップＳ５２にて判断した場合には、ステップＳ５３にてアクティブフラグをセット（「１」に設定）し、一時停止フラグをクリア（「０」に設定）し、ステップＳ５４にてステータス送信処理を行う。
【００９９】
制御部４０は、ステップＳ４５において上記操作コマンドを受信していない判断した場合、図１５のステップＳ６１において表示システム７０からステータス要求コマンドを受信したか否かを判断する。なお、表示システム７０から上記特定機器に対しては、所定条件成立時又は定期的にステータス要求コマンドが送信されるようになっている。制御部４０は、ステップＳ６１において表示システム７０からステータス要求コマンドを受信していないと判断した場合には、当該受信データ処理を終了する。
【０１００】
制御部４０は、ステップＳ６１において表示システム７０からステータス要求コマンドを受信したと判断した場合には、ステップＳ６２において現在のアクティブフラグがセット（「１」の状態）であるか否かを判断し、アクティブフラグがセット（「１」の状態）でない場合には、ステップＳ６３において停止中を示す第３ステータス信号を送信する。
【０１０１】
制御部４０は、ステップＳ６２において現在のアクティブフラグがセット（「１」の状態）であると判断した場合には、ステップＳ６４において現在の一時停止フラグがセット（「１」の状態）であるか否かを判断し、一時停止フラグがセット（「１」の状態）でない場合には、ステップＳ６５において再生進行中を示すステータス信号（上記第２ステータス信号）を送信し、一時停止フラグがセット（「１」の状態）である場合には、ステップＳ６６において一時停止中を示すステータス信号（上記第１ステータス信号）を送信する。
【０１０２】
以上のように、中継装置１０は、接続部９０に当該中継装置１０が電気的に接続された場合において表示システム７０からステップＳ５０の一時停止要求（一時停止指示信号）を受けた場合に、第１応答信号を模擬した信号（第１ステータス信号）を表示システム７０に対して接続部９０を介して送信するようになっている。更に、中継装置１０は、表示システム７０からステップＳ５２の再生進行要求（解除指示信号）を受けた場合には、第２応答信号を模擬した信号（第２ステータス信号）を表示システム７０に対して接続部９０を介して送信するようになっている。
【０１０３】
更に、制御部４０は、ステップＳ３３、Ｓ３４、Ｓ６３、Ｓ６５、Ｓ６６のそれぞれにおいて、ステータス信号に加え、上述の「保持信号」を模擬した信号を表示システム７０に対し接続部９０を介して送信する。制御部４０は、このように「保持信号」を送信することで、表示システム７０を上述の「選択可設定」（中継装置１０を動作対象とする上記所定選択操作が可能な状態である許可状態）とすることができる。この「保持信号を模擬した信号」は、映像信号出力装置１０２が出力する「保持信号」と同一の信号であってもよく、映像信号出力装置１０２が出力する「保持信号」とは異なるが、予め正規の保持信号として表示システム７０に登録された情報であってもよい。即ち、「保持信号を模擬した信号」は、記録媒体が保持されていることを示す信号であると表示システム７０に認識され得る信号であればよい。制御部４０は、このような「保持信号を模擬した信号」を表示システム７０に送信することで、中継装置１０が実際に記録媒体を保持していなくても、接続部９０に接続された装置が記録媒体を保持してる状態であると認識させることができ、接続部９０に接続された装置が記録媒体を保持してることを前提とする動作を表示システム７０に行わせることができる。「接続部９０に接続された装置が記録媒体を保持してることを前提とする動作」は、接続部９０に接続された装置を動作対象として選択する動作や、接続部９０に接続された装置からの映像信号及び音声信号に基づく映像や音声を出力することを許容する動作などであり、例えば、図６のような画面を表示する動作なども含む。
【０１０４】
このように、中継装置１０は、自身が接続部９０に電気的に接続されている状態で「機器信号を模擬した信号」と「保持信号を模擬した信号」とを表示システム７０に送信するため、中継装置１０が接続部９０に接続されている状態で制御装置７２が図５の制御を行う場合、ステップＳ１ではＹｅｓの判定となり、ステップＳ２の「選択可設定」が継続することになる。従って、中継装置１０が接続部９０に電気的に接続されている場合には、表示システム７０において図６のような「所定の操作用画面」を表示することが可能となり、上述した「所定選択操作」を行うことで「接続部９０に電気的に接続された中継装置１０を動作対象とする選択」が可能となる。
【０１０５】
図１、図２のように中継装置１０が接続部９０に電気的に接続されている状態では、上述した「所定選択操作」がなされない間は、表示システム７０において、図５のステップＳ１でのＹｅｓの判断、ステップＳ２、ステップＳ３でのＮｏの判断が繰り返されることになり、上述した「所定選択操作」がなされることで上述した「選択中の設定」となった場合には、ステップＳ４以降の処理が行われることになる。
【０１０６】
５．効果の例
中継装置１０は、表示システム７０の接続部９０に電気的に接続された場合に、表示システム７０に対し接続部９０を介して機器信号（表示システム７０が接続部９０に接続された装置からの動作を許可する条件となる信号）を模擬した模擬信号を送信する。よって、中継装置１０は、自身からの動作を表示システム７０に許容させ得る。そして、中継装置１０は、このように動作が許容された状態で、情報端末１００（外部装置）から入力部２０に入力された映像信号（第２の映像信号）に応じた映像信号を、接続部９０を介して表示システム７０に伝送することができる。よって、中継装置１０は、表示システム７０の接続部９０（特定の種類の映像信号出力装置１０２が接続されることが想定された部分）を利用して、情報端末１００（外部装置）から出力される映像信号に応じた映像を表示システム７０のディスプレイ７４に表示することができる。
【０１０７】
また、第１実施形態の中継装置１０は、保持信号を模擬した信号を表示システム７０に送信することができるため、映像信号出力装置１０２が表示システム７０に電気的に接続された状態で映像信号出力装置１０２内に記録媒体が保持されている場合と同様の動作を表示システム７０に行わせることができる。具体的には、中継装置１０は、保持信号を模擬した信号を表示システム７０に送信することで、表示システム７０を許可状態（接続部９０に接続された外部機器を動作対象とする上記所定選択操作が可能な状態）にすることができ、記録媒体を保持していなくても自身を動作対象とする上記所定選択操作が可能な状態にすることができる。
【０１０８】
また、第１実施形態の中継装置１０は、進行中信号を模擬した信号を表示システム７０に送信することができるため、映像信号出力装置１０２が表示システム７０に接続された状態で再生進行中である場合と同様の動作を表示システム７０に行わせることができる。具体的には、中継装置１０は、進行中信号を模擬した信号（第２ステータス信号）を表示システム７０に送信することで、記録媒体を実際に再生しなくても、ステップＳ８のような処理を表示システム７０に行わせることができる。
【０１０９】
図１で示されるシステム構成以外の他の方策として、図１７のような接続を行うことも考えられる。図１７の例は、情報端末１００からの映像信号や音声信号に応じた動作を表示システム７０で行うための信号送信（機器信号、保持信号、再生中信号の送信）を、映像信号出力装置１０２に行わせようとするシステム構成である。しかし、このようなシステム構成を採用した場合、適切な映像信号出力装置１０２を用意する必要があり、しかも、保持信号を出力するために映像信号出力装置１０２に記録媒体を保持させなければならない。更に、映像信号出力装置１０２が再生を行っていないとミュート状態となってしまうという問題もある。これに対し、上述した第１実施形態の中継装置１０は、このような問題を解消することができるため非常に有用である。
【０１１０】
中継装置１０は、情報端末１００（外部装置）からの映像信号（第２の映像信号）に応じた映像信号を特定の接続部９０を介して表示システム７０に入力することを可能とし、更に、接続部９０を介して音声信号を入力する場合には、情報端末１００（外部装置）からアンバランス方式で音声信号が入力されたとしてもバランス方式の音声信号に変換して表示システム７０に入力することができる。しかも、中継装置１０は、アンバランス方式で入力された音声信号をバランス方式の音声信号に変換して入力する際に、反転関係にある一方の第１電圧信号と他方の第２電圧信号をいずれも減衰信号として生成することができるため、第１電圧信号及び第２電圧信号の出力が大きすぎることに起因する弊害（例えば、音割れ等）を生じにくくすることができる。
【０１１１】
＜他の実施形態＞
本開示は、上記記述及び図面によって説明した実施形態に限定されるものではない。例えば、上述又は後述の実施形態の特徴は、矛盾しない範囲であらゆる組み合わせが可能である。また、上述又は後述の実施形態のいずれの特徴も、必須のものとして明示されていなければ省略することもできる。更に、上述した実施形態は、次のように変更されてもよい。
【０１１２】
第１実施形態では、情報端末１００がケーブル部５０を介して中継装置１０に電気的に接続され、情報端末１００からの信号がケーブル部５０を介して中継装置１０に入力されるようになっていたがこの例に限定されない。情報端末１００と中継装置１０とが互いに無線通信を行う構成であってもよい。この場合、情報端末１００から中継装置１０へと無線通信によって映像信号や音声信号が入力されてもよい。
【０１１３】
第１実施形態では、中継装置１０が単一装置によって構成されていたが複数の装置によって構成されていてもよい。例えば、中継装置１０が、情報端末１００から映像信号や音声信号を取得する第１装置と表示システム７０に信号を送信する第２装置とを備えていてもよい。この場合、第１装置と第２装置とがケーブル等によって有線接続されていてもよく、無線通信によって情報伝達が可能とされていてもよい。
【０１１４】
第１実施形態では、ケーブル部５０が中継装置１０とは別部材として構成されていたが、ケーブル部５０が中継装置１０の一部として含まれていてもよい。第１実施形態では、ケーブル部６０が中継装置１０とは別部材として構成されていたが、ケーブル部６０が中継装置１０の一部として含まれていてもよい。
【０１１５】
図５のフローチャートでは、表示システム７０（例えばディスプレイオーディオなど）による制御の流れが例示されるが、図５の例はあくまで制御の一例が簡略的に示されるものであり、表示システム７０の制御は図５の内容に限定されない。表示システム７０は、接続部９０を介して機器信号又は機器信号を模擬した信号を受信したことを条件として接続部９０に電気的に接続された装置からの信号に応じた動作を許可するような制御であればよく、図５のフローチャートは様々なフローチャートに変更され得る。また、上記実施形態では、表示システム７０は、保持信号又は保持信号を模擬した信号を受信したことを条件として接続部９０に電気的に接続された装置からの信号に応じた動作を許可するように動作するが、保持信号又は保持信号を模擬した信号の受信を条件としなくてもよい。
【０１１６】
なお、今回開示された実施の形態は全ての点で例示であって制限的なものではないと考えられるべきである。本発明の範囲は、今回開示された実施の形態に限定されるものではなく、特許請求の範囲によって示された範囲内又は特許請求の範囲と均等の範囲内での全ての変更が含まれることが意図される。
【符号の説明】
【０１１７】
１０…車載用中継装置（外部機器）
１１…伝送部
１５Ａ，１６Ａ…伝送線（第１導電路）
１５Ｂ，１６Ｂ…伝送線（第２導電路）
２０…入力部
２３Ｃ，２４Ｃ…基準端子
３２Ａ，３４Ａ…減衰回路（第１減衰回路）
３２Ｂ，３４Ｂ…反転減衰回路（第２減衰回路）
４０…制御部
５３Ｃ，５４Ｃ…基準電位線
７０…車載用表示システム
７４…ディスプレイ
８０…操作部
９０…接続部
９２，９５，９６，９７，９８…端子（入力端子）
９５Ａ，９６Ａ…端子（第１の音声入力端子）
９５Ｂ，９６Ｂ…端子（第２の音声入力端子）
１００…情報端末（外部装置）
１０２…映像信号出力装置（外部機器）
【要約】
【課題】特定の種類の映像信号出力装置が接続される入力端子を利用して、外部装置から出力される映像信号に応じた映像を車載用表示システムのディスプレイに表示し得る技術を提供する。
【解決手段】車載用中継装置１０は、制御部４０、入力部２０、伝送部１１を備える。制御部４０は、車載用中継装置１０が接続部９０に電気的に接続された場合に、車載用表示システム７０に対し接続部９０を介して機器信号を模擬した模擬信号を送信し、車載用中継装置１０からの動作を許容させる。入力部２０は、外部装置から第２の映像信号が入力される部分である。伝送部１１は、車載用中継装置１０が接続部９０に電気的に接続された場合に、入力部２０に入力された第２の映像信号に応じた映像信号を、車載用表示システム７０に対し接続部９０を介して伝送する。
【選択図】図２【図１】
0006898676.tif 000002
【図２】
0006898676.tif 000003
【図３】
0006898676.tif 000004
【図４】
0006898676.tif 000005
【図５】
0006898676.tif 000006
【図６】
0006898676.tif 000007
【図７】
0006898676.tif 000008
【図８】
0006898676.tif 000009
【図９】
0006898676.tif 000010
【図１０】
0006898676.tif 000011
【図１１】
0006898676.tif 000012
【図１２】
0006898676.tif 000013
【図１３】
0006898676.tif 000014
【図１４】
0006898676.tif 000015
【図１５】
0006898676.tif 000016
【図１６】
0006898676.tif 000017
【図１７】
0006898676.tif 000018